(57)【要約】【課題】下部筐体のキートップ面に、下部筐体の凹面の曲率とオフセットする曲面形状を形成できるカーブスライド可能な携帯端末装置を提供する。【解決手段】携帯端末装置１００は、背面が所定の曲率を有する円筒状の凸面１２から成る上部筐体１０と、表面が上部筐体１０の背面の曲率とオフセットする円筒状の凹面２１を有し、上部筐体１０によって、表面の少なくとも一部を覆う閉止位置と開放する開放位置との間で、凸面１２及び凹面２１に対応する曲面に沿って互いにスライド移動可能に結合された下部筐体２０とを備える。下部筐体２０が、下部筐体２０の表面に配設され可撓性を有するキーボード４０と、キーボード４０を背面から支持する剛性の表面を有し、この表面が下部筐体２０の表面の曲率にオフセットした曲面形状を近似する複数の平面５２，５３から成るキーフレーム５０と、を有する。【選択図】図４
2010154330.tif 000002
【特許請求の範囲】
【請求項１】
背面が所定の曲率を有する円筒状の凸面から成る上部筐体と、
表面が前記上部筐体の背面の曲率とオフセットする円筒状の凹面を有し、前記上部筐体によって、表面の少なくとも一部を覆う閉止位置と開放する開放位置との間で、前記凸面及び凹面に対応する曲面に沿ってスライド移動可能に結合された下部筐体と、を備え、
前記下部筐体が、
前記下部筐体の表面に配設され可撓性を有するキーボードと、
前記キーボードを背面から支持する剛性の表面を有し、該表面が前記下部筐体の表面の曲率にオフセットした曲面形状を近似する複数の平面から成るキーフレームと、を有することを特徴とする携帯端末装置。
【請求項２】
前記キーボードが、可撓性を有する支持シートと、該支持シートの表面上に配置される複数のキートップと、前記支持シートの背面側に配設され前記キートップの押下を検知する可撓性を有する押下検知部材とを含む、請求項１に記載の携帯端末装置。
【請求項３】
前記支持シートの周囲を前記下部筐体に固定する樹脂製のキーカバーを更に有する、請求項２に記載の携帯端末装置。
【請求項４】
前記支持シートが、平坦なフィルムと、前記キートップに対応して配設され、該平坦なフィルムから前記押下検知部材に向かって突出する凸状の押し子とを含む、請求項２又は３に記載の携帯端末装置。
【請求項５】
前記押下検知部材が、前記押し子に対応して配設されるドーム状の凸部を有する金属板と、該金属板の背面に配設されキートップの押下時に前記ドーム状の凸部と接触するフレキシブル基板とを含む、請求項４に記載の携帯端末装置。
【請求項６】
前記キーフレームが、ステンレス、マグネシウム又はアルミニウムから成る、請求項１〜５の何れか一に記載の携帯端末装置。
【請求項７】
前記複数の平面が、２つ又は３つの平面を含む、請求項１〜６の何れか一に記載の携帯端末装置。
【請求項８】
前記上部筐体の表面に配置された表示装置を更に有する、請求項１〜７の何れか一に記載の携帯端末装置。
【請求項９】
曲面形状を有する支持シートと、該支持シートの表面上に配置される複数のキートップと、前記支持シートの背面側に配設され前記キートップの押下を検知する押下検知部材とを含むキーボードと、
前記キーボードを背面から支持する剛性の表面を有し、該表面が前記支持シートの表面の曲率にオフセットした曲面形状を近似する複数の平面から成るキーフレームと、を有することを特徴とするキー入力装置。
【発明の詳細な説明】
【技術分野】
【０００１】
本発明は、携帯端末装置に関し、更に詳しくは、上部筐体と下部筐体とがスライド可能に結合された携帯端末装置に関する。また、本発明は、本発明の携帯端末装置に用いて好適なキー入力装置に関する。
【背景技術】
【０００２】
携帯電話機等の携帯端末装置では、携帯性の向上を図るために薄型化及び小型化が進められている。一例として、単一筐体型の携帯端末装置では、その長手方向の寸法を小さくすると、携帯端末装置の受話口と送話口の距離が小さくなる。この距離がユーザの耳と口の距離に対して小さければ、通話時に受送話音が聞き取り難くなり、使い勝手が悪くなる。
【０００３】
一方、折畳み式の携帯端末装置では、上部筐体と下部筐体とがヒンジを介して結合され、筐体端部を軸として回転可能である。折り畳み式の携帯端末装置では、通話時に、上部筐体と下部筐体とを展開することにより、受話口と送話口との距離をユーザの耳と口の距離に近付けている。
【０００４】
さらに、折畳み式の携帯端末装置では、一般に、ヒンジを介した上部筐体と下部筐体とで形成される角度が、展開された状態で１８０度未満（例えば、１６０〜１７０度）に設定されており、受話口と送話口をユーザの耳と口に接近させている。
【０００５】
近年、携帯端末装置には、インターネット接続による各種情報の閲覧やワンセグ（登録商標）の視聴を可能とする機能が付加されている。このため、通話時以外の使用も考慮した携帯端末装置として、上部筐体と下部筐体とがスライド可能に結合されたスライド式の携帯端末装置も出現している。
【０００６】
スライド式の携帯端末装置としては、例えば、上部筐体と下部筐体とが直線方向にスライドするものが知られている。しかし、この携帯端末装置では、通話時に、上部筐体と下部筐体とを直線方向にスライドさせるので、ユーザの耳と口の位置を考慮した適切な位置に、受話口と送話口を配置することが困難であった。
【０００７】
特許文献１には、受話口を有する主筐体としての第１の筐体と、キー入力装置及び送話口等を有する第２の筐体とを相互にスライド可能に備えた携帯用電話機が記載されている。この携帯用電話機では、各筐体間に湾曲形状のスライド面を有し、このスライド面に沿って、第２の筐体をスライド移動させることにより、通話時に受話口と送話口との好適な距離及び角度を得ている。
【特許文献１】特開平４−２７３７４４号公報
【特許文献２】特開平０９−０７４４３９号公報
【発明の開示】
【発明が解決しようとする課題】
【０００８】
特許文献１の携帯用電話機では、第２の筐体が、第１の筐体の凹部に組み込まれて一体となった構成を有し、組み込まれた状態ではキー入力装置の全面が外部に開放されている。つまり、第２の筐体のスライド面は、第２の筐体の背面に形成されており、第２の筐体表面の一部となるキー入力装置のキートップ面は、曲面ではなく平面となっている。
【０００９】
特許文献２には、キートップ面が曲面形状を有する携帯型無線機が記載されている。図５を参照して、特許文献２に記載の携帯型無線機について説明する。携帯型無線機１００Ａは、同図に示すように、表面が曲面形状を有した本体となる筐体１Ａと、筐体１Ａの曲面形状に対応した形状を有するキートップ面２Ａとを有する。しかし、携帯型無線機１００Ａは、単に、キートップ面２Ａが筐体１Ａと同じ曲面形状を有しているだけであり、スライド機構を有していない。
【００１０】
特許文献１，２には、上部筐体の背面及び下部筐体の表面が曲面を有し、曲面に沿ってカーブスライドし、下部筐体の表面の一部となるキートップ面が、上部筐体で覆われる状態と開放される状態とを採る構成については記載されていない。
【００１１】
上記構成を有する携帯端末装置では、上部筐体の背面を凸面とし、さらに、下部筐体の表面に、この凸面の曲率とオフセットする凹面を形成する必要がある。一例として、板金（キーフレーム）にプレス加工を施して、下部筐体の凹面の曲率とオフセットした曲面形状を形成し、このキーフレームで、可撓性を有するキーシートを背面から支持する構成が考えられる。
【００１２】
しかし、プレス加工によりキーフレームに曲面形状を形成しようとしても、高い寸法精度が得られない、という問題があった。このため、下部筐体のキートップ面に、下部筐体の凹面の曲率とオフセットした曲面形状を形成することは困難であった。
【００１３】
本発明は、下部筐体のキートップ面に、下部筐体の凹面の曲率とオフセットする曲面形状を形成できるカーブスライド可能な携帯端末装置を提供することを目的とする。また、本発明は、本発明の携帯端末装置に用いて好適なキー入力装置を提供することを目的とする。
【課題を解決するための手段】
【００１４】
上記目的を達成するために、本発明は、背面が所定の曲率を有する円筒状の凸面から成る上部筐体と、
表面が前記上部筐体の背面の曲率とオフセットする円筒状の凹面を有し、前記上部筐体によって、表面の少なくとも一部を覆う閉止位置と開放する開放位置との間で、前記凸面及び凹面に対応する曲面に沿ってスライド移動可能に結合された下部筐体と、を備え、
前記下部筐体が、
前記下部筐体の表面に配設され可撓性を有するキーボードと、
前記キーボードを背面から支持する剛性の表面を有し、該表面が前記下部筐体の表面の曲率にオフセットした曲面形状を近似する複数の平面から成るキーフレームと、を有することを特徴とする携帯端末装置を提供する。
【００１５】
また、本発明は、曲面形状を有する支持シートと、該支持シートの表面上に配置される複数のキートップと、前記支持シートの背面側に配設され前記キートップの押下を検知する押下検知部材とを含むキーボードと、
前記キーボードを背面から支持する剛性の表面を有し、該表面が前記支持シートの表面の曲率にオフセットした曲面形状を近似する複数の平面から成るキーフレームと、を有することを特徴とするキー入力装置を提供する。
【発明の効果】
【００１６】
本発明の携帯端末装置では、下部筐体のキートップ面に、下部筐体の凹面の曲率とオフセットする曲面形状を形成できる。また、本発明のキー入力装置では、キーフレームが、複数の平面から成るので、プレス加工で曲面形状を形成する場合に比べて寸法精度が高くなり、支持シートの表面の曲率にオフセットした曲面形状を高い寸法精度で近似できる。
【発明を実施するための最良の形態】
【００１７】
以下、図面を参照して、本発明の例示的な実施の形態について詳細に説明する。図１は、本発明の一実施形態に係る携帯端末装置の外観を示す斜視図である。携帯端末装置１００は、例えば携帯電話機に代表される携帯型の電子機器であって、通話、インターネット接続を可能とする通信機能、放送受信機能等の各種機能を有する。携帯端末装置１００は、上部筐体１０と、下部筐体２０とを備える。
【００１８】
上部筐体１０は、その表面に表示部１１を有する。表示部１１は、ＬＣＤ（Liquid Crystal Display）等であって、各種情報が表示される。上部筐体１０は、その背面が所定の曲率を有する円筒状の凸面１２からなる。下部筐体２０は、その表面が上部筐体１０の背面の曲率とオフセットする円筒状の凹面２１からなる。また、下部筐体２０は、その表面にキー入力装置３０が配置されている。キー入力装置３０は、本発明のキー入力装置の一実施形態である。
【００１９】
携帯端末装置１００は、図１（ａ）に示すように、上部筐体１０が下部筐体２０の表面を覆う閉止状態と、図１（ｂ）に示すように、上部筐体１０が下部筐体２０の少なくともキー入力装置３０の表面を開放する開放状態とを採る。ここで、下部筐体２０は、上部筐体１０によって、閉止状態と開放状態との間で、上記凸面１２及び凹面２１に対応する曲面に沿って、所定距離だけ離間された状態でスライド（カーブスライド）可能に結合されている。なお、上部筐体１０と下部筐体２０とをスライド可能に保持しながら結合する結合部材は、図示を省略している。
【００２０】
キー入力装置３０は、数字や文字等を入力し、また、各種操作を行うための装置である。キー入力装置３０は、図１（ｂ）に示す開放状態で使用可能となり、その表面にはカーソルキー３１、メニューキー３２及びテンキー３３等の入力キーが配置され、その周囲にはキーカバー３４が配置されている。テンキー３３は、数字や文字入力を行うための入力キーである。
【００２１】
図２は、図１（ｂ）に示すＡ−Ａ線に沿った断面を示す図である。キー入力装置３０は、下部筐体２０の表面に配設され、可撓性を有するキーボード４０と、キーボード４０を背面から支持するキーフレーム５０とを有する。キーボード４０は、可撓性を有するキーシート４１と、キーシート４１の表面上に配置された複数のキートップ４２と、キーシート４１の背面側に配設され、キートップ４２の押下を検出する可撓性の押下検知部材４３とを含む。
【００２２】
キートップ４２は、ユーザが良好なキー押し感を得るように、硬質樹脂で形成されている。以下では、キートップ４２の表面をキートップ面４２ａと称する。なお、図２に示すキートップ４２は、図１（ｂ）に示すテンキー３３に相当する。
【００２３】
キーシート４１は、複数のキートップ４２と、キートップ４２を囲むように配置された上記キーカバー３４とにより、キー入力装置３０の外観を形成している。キーカバー３４は、湾曲可能な可撓性のＰＥＴ等のフィルムで形成されており、周縁が下部筐体２０の凹面２１に沿った内側の側壁（筐体曲率部）２２に貼付され固定されている。また、キーカバー３４の表面は化粧パネルとなる。
【００２４】
キーシート４１は、キートップ４２が配置された平坦なフィルム（押し子シート）４４と、押し子シート４４から押下検知部材４３に向かって突出する凸状の複数の押し子４５とを有する。押し子４５は、ゴム等の弾性体で形成され、可撓性を有する。なお、押し子４５は、押し子シート４４に一体形成されている。押し子シート４４は、図示のように、表面の周縁がキーカバー３４で覆われており、裏面の周縁が、下部筐体２０の側壁から内側に突出したフランジ２３の上面に両面テープ等により固着されている。
【００２５】
フランジ２３の上面は、下部筐体２０の凹面２１の曲率にオフセットした曲面形状を有している。つまり、可撓性を有するキーシート４１は、フランジ２３の上面に固着された周縁部で、下部筐体２０の凹面２１の曲率にマッチした曲率を有し、共通の曲面中心を有する。このため、双方の曲面、即ち上記凸面１２及び凹面２１の界面に沿って曲面中心回りに相互にスライド可能である。
【００２６】
さらに、キーシート４１の周縁部以外の領域、即ち、キートップ４２が配置されている領域は、キーシート４１の背面側から上記押下検知部材４３を介してキーフレーム５０により支持されている。キーフレーム５０は、キー入力装置３０の撓みを抑制し、また、筐体の薄型化を図るためにステンレス等の高強度の材質で形成されている。キーフレーム５０は、図２に示すように、下部筐体２０の上記フランジ２３から所定距離を隔てた位置に形成された凸部２４，２５に支持され、下部筐体２０に係止固定されている。
【００２７】
押下検知部材４３は、キーフレーム５０上に固着されたフレキシブル基板４６と、フレキシブル基板４６の上面に配置された金属板４７と、シート４８とを備える。金属板４７は、押し子シート４４の押し子４５に対応して配設される複数のドーム状の凸部（メタルドーム）４９を有する。メタルドーム４９は、金属製であって、押し子４５と接触しており、押し子４５から押圧を受けて弾性変形する。シート４８は、薄いＰＥＴ材等で形成されており、少なくともメタルドーム４９を覆っている。以下、シート４８をメタルドームシートと称する。
【００２８】
ここで、キートップ４２の押下に伴うキー入力装置３０の形状変化について説明する。まず、キートップ４２が押下されると、キーシート４１が押下検知部材４３に向かって撓み、押し子シート４４の押し子４５が撓みながら、対応するメタルドーム４９を押下する。押下されたメタルドーム４９は、弾性変形して、フレキシブル基板４６と接触する。このとき、メタルドーム４９とフレキシブル基板４６とが電気的に導通するので、押下検知部材４３が、キートップ４２の押下を検知する。
【００２９】
続いて、図３及び図４を参照して、キーフレーム５０の形状について説明する。図３は、図１（ｂ）に示す携帯端末装置１００のキー入力装置３０からキーシート４１を分離した状態を示す図である。図４（ａ）は、図１（ｂ）に示す携帯端末装置１００の下部筐体２０のＢ−Ｂ線に沿った断面を示す図である。図４（ｂ）は、図４（ａ）に示す断面形状の一部を拡大して示す図である。
【００３０】
図３に示す下部筐体２０の内部には、キーシート４１の周縁部を支持する上記フランジ２３と、押下検知部材４３の表面となるメタルドームシート４８と、メタルドームシート４８で覆われていないキーフレーム５０の周縁とが示されている。
【００３１】
メタルドームシート４８には、折り曲げ部５１を境界とする第１の平面５２と第２の平面５３とが形成されている。折り曲げ部５１は、携帯端末装置１００の縦方向（長手方向）と直交する方向に沿って形成されている。第１の平面５２は、キーシート４１のカーソルキー３１及びメニューキー３２が配置された領域に対応している。第２の平面５３は、キーシート４１のテンキー３３が配置された領域に対応している。
【００３２】
押下検知部材４３は、可撓性を有すると共にキーフレーム５０上に配置されているので、メタルドームシート４８には、キーフレーム５０の形状が反映されることになる。キーフレーム５０の形状は、図４に示すように、曲面形状ではなく、折り曲げ部５１を基準にＶ字状に折り曲げられた形状である。
【００３３】
仮に、キーフレーム５０に折り曲げ部５１を形成せずに、プレス加工を施して、下部筐体２０の凹面２１の曲率にオフセットした曲面形状を形成しようとしても、高い寸法精度は得られない。そのため、キーシート４１の押し子４５と、メタルドームシート４８との距離を一定に維持することができず、キー押し感が損なわれる可能性がある。
【００３４】
これに対して、本実施形態のキーフレーム５０は、図４に示すように、折り曲げ部５１により形成された第１の平面５２と第２の平面５３とによって、曲面形状ではなく、下部筐体２０の凹面２１の曲率にオフセットした曲面を近似した形状を有する。さらに、キーシート４１の押し子４５は、図４（ｂ）に示すように、対応するメタルドーム４９を覆うメタルドームシート４８との間で隙間が生じないように、所定の高さに調整されている。つまり、第１の平面５２が、カーソルキー３１及びメニューキー３２が配置されたキーシート４１の領域を支え、また、第２の平面５３が、テンキー３３が配置されたキーシート４１の領域を支えることになる。
【００３５】
従って、本実施形態では、押し子４５と、対応するメタルドームシート４８との各距離が、全て近似的に安定した一定距離となり、良好なキー押し感が得られる。さらに、キーシート４１が可撓性を有し、かつ、キーシート４１とメタルドームシート４８との距離が維持されることで、キーシート４１のキートップ面４２ａが、下部筐体２０の凹面２１の曲率にオフセットした曲面形状となる。その結果、キートップ面４２ａを含む下部筐体２０の凹面２１が、上部筐体１０の凸面１２の曲率にマッチした曲率を有し、共通の曲面中心を有する。このため、上部筐体１０と下部筐体２０とは、双方の曲面の界面に沿って曲面中心回りに相互にカーブスライド可能である。
【００３６】
本実施形態の携帯端末装置は、背面が所定の曲率を有する円筒状の凸面から成る上部筐体と、表面が上部筐体の背面の曲率とオフセットする円筒状の凹面を有し、上部筐体によって、表面の少なくとも一部を覆う閉止位置と開放する開放位置との間で、凸面及び凹面に対応する曲面に沿って互いにスライド移動可能に結合された下部筐体と、を備え、下部筐体が、下部筐体の表面に配設され可撓性を有するキーボードと、キーボードを背面から支持する剛性の表面を有し、該表面が下部筐体の表面の曲率にオフセットした曲面形状を近似する複数の平面から成るキーフレームと、を有する、本発明の携帯端末装置の基本構成を有する。
【００３７】
上記基本構成を採用することによって、下部筐体の凹面の曲率にオフセットした曲面形状を複数の平面で近似したキーフレームが、可撓性を有するキーボードを背面から支持する。このため、キーボードの表面に、下部筐体の凹面の曲率とオフセットする曲面形状を形成できる。また、キーフレームの複数の平面は、折り曲げることで形成されるから、プレス加工で曲面形状を形成する場合に比べて寸法精度が高くなる。さらに、キーボードが下部筐体の凹面の曲率とオフセットしているので、意匠性が高くなる。
【００３８】
上記実施形態のキー入力装置は、曲面形状を有する支持シートと、該支持シートの表面上に配置される複数のキートップと、支持シートの背面側に配設されキートップの押下を検知する押下検知部材とを含むキーボードと、キーボードを背面から支持する剛性の表面を有し、該表面が支持シートの表面の曲率にオフセットした曲面形状を近似する複数の平面から成るキーフレームと、を有する、本発明のキー入力装置の基本構成を有する。
【００３９】
上記基本構成を採用することによって、キーフレームの複数の平面は、折り曲げることで形成されるから、プレス加工で曲面形状を形成する場合に比べて寸法精度が高くなり、支持シートの表面の曲率にオフセットした曲面形状を複数の平面で高い寸法精度で近似できる。
【００４０】
また、キーボードが、可撓性を有する支持シートと、該支持シートの表面上に配置される複数のキートップと、支持シートの背面側に配設されキートップの押下を検知する可撓性を有する押下検知部材とを含む。これにより、可撓性を有する支持シートの背面側に、可撓性を有する押下検知部材が配設されているので、支持シートに、曲面形状を近似したキーフレームの形状が反映される。
【００４１】
更に、支持シートの周囲を下部筐体に固定する樹脂製のキーカバーを更に有する。この場合には、キーカバーの表面が化粧パネルとなる。
【００４２】
更に、支持シートが、平坦なフィルムと、キートップに対応して配設され、該平坦なフィルムから押下検知部材に向かって突出する凸状の押し子とを含む。このため、キートップが押下されると、支持シートが撓み、押し子が押下検知部材を押下できる。
【００４３】
更に、押下検知部材が、押し子に対応して配設されるドーム状の凸部を有する金属板と、該金属板の背面に配設されキートップの押下時にドーム状の凸部と接触するフレキシブル基板とを含む。これにより、キートップの押下に伴い、押し子がドーム状の凸部を押下して、ドーム状の凸部とフレキシブル基板とが導通するので、キートップの押下を検知できる。
【００４４】
更に、キーフレームが、ステンレス、マグネシウム又はアルミニウムから成る。このため、キーフレームが軽量かつ高い剛性を有するので、歪みを抑制できる。
【００４５】
更に、複数の平面が、２つ又は３つの平面を含む。これにより、下部筐体の表面の曲率が小さい場合であっても、複数の平面で、下部筐体の凹面の曲率にオフセットした曲面形状を近似できる。
【００４６】
更に、上部筐体の表面に配置された表示装置を更に有する。これにより、開放状態で表示装置がユーザ側に傾斜するので、表示装置の視認性を向上できる。
【００４７】
ここで、上記実施形態の携帯端末装置１００では、キートップ面４２ａが、下部筐体２０の凹面２１の曲率にオフセットした曲面形状を有しているので、高い意匠性を得られる。また、下部筐体２０の意匠を損なうことなく、カーブスライドが可能となる。
【００４８】
また、一般に、携帯端末装置の表示部は、インターネット接続や放送受信で取得した情報をより多く表示可能とするために大型化が進んでいる。これに対して、携帯端末装置１００では、カーブスライドに伴い、開放状態で表示部１１がユーザ側に傾くので、表示部１１の視認性が向上する。
【００４９】
また、携帯端末装置１００では、通話時に開放状態となるが、曲面に沿ったカーブスライドにより、上部筐体１０に配置された受話口と下部筐体２０に配置された送話口とが、ユーザの耳と口とに対して適切な位置に保たれる。このため、通話時での使い勝手が良い。
【００５０】
さらに、一般に、携帯端末装置１００の機能の多様化に伴い、筐体内部に実装される実装部品が増加する傾向にあるが、その一方で、筐体の薄型化が求められている。これに対して、携帯端末装置１００では、キーフレーム５０がステンレス等の高強度の材質で形成されており、筐体の薄型化に寄与できる。
【００５１】
また、上記実施形態では、キーフレーム５０が１つの折り曲げ部５１により２つの平面５２，５３が形成された場合について説明したが、これに限らず、折り曲げ部５１を増やして、３つ以上の平面を形成してもよい。このようにすれば、下部筐体２０の凹面２１の曲率が小さい場合であっても、複数の平面により、下部筐体２０の凹面２１の曲率にオフセットした曲面形状を近似できる。
【００５２】
また、キーフレーム５０は、ステンレスに限らず、マグネシウムやアルミ等の軽量かつ高い剛性を有する材質で形成された金属成形品であってもよい。さらに、キーカバー３４は、ＰＥＴ素材ではなく、硬質又は軟質の樹脂成形品を用いてもよい。このようにすれば、キーシート４１の周縁部に、弾性変形可能な平面や下部筐体２０の凹面２１の曲率にオフセットした曲面形状を形成できる。
【００５３】
上記実施形態では、携帯端末装置１００として携帯電話機を例示して説明したが、これに限定されない。即ち、本実施形態は、ノートタイプのパーソナルコンピュータ、ＰＤＡ（Personal Digital Assistants）等の携帯情報端末やデジタルカメラ、デジタルビデオカメラ等、各種の小型電子機器にも適用可能である。
【００５４】
以上、本発明をその好適な実施形態に基づいて説明したが、本発明の携帯端末装置及びキー入力装置は、上記実施形態の構成にのみ限定されるものではなく、上記実施形態の構成から種々の修正及び変更を施したものも、本発明の範囲に含まれる。
【図面の簡単な説明】
【００５５】
【図１】（ａ）及び（ｂ）は、本発明の一実施形態に係る携帯端末装置での閉止状態及び開放状態の外観をそれぞれ示す斜視図。
【図２】図１（ｂ）に示す携帯端末装置のＡ−Ａ線に沿った断面図。
【図３】図１（ｂ）に示す携帯端末装置のキー入力装置からキーシートを分離した状態を示す斜視図。
【図４】（ａ）及び（ｂ）は、図１（ｂ）に示す携帯端末装置のＢ−Ｂ線に沿った下部筐体の断面、及び断面を一部拡大して示す図。
【図５】従来の携帯型無線装置の断面を示す図。
【符号の説明】
【００５６】
１０：上部筐体
１１：表示部
１２：凸面
２０：下部筐体
２１：凹面
２２：側壁
２３：フランジ
２４，２５：凸部
３０：キー入力装置
３１：カーソルキー
３２：メニューキー
３３：テンキー
３４：キーカバー
４０：キーボード
４１：キーシート
４２：キートップ
４２ａ：キートップ面
４３：押下検知部材
４４：押し子シート
４５：押し子
４６：フレキシブル基板
４７：金属板
４８：メタルドームシート
４９：メタルドーム
５０：キーフレーム
５１：折り曲げ部
５２：第１の平面
５３：第２の平面
１００：携帯端末装置
【図１】
2010154330.tif 000003
【図２】
2010154330.tif 000004
【図３】
2010154330.tif 000005
【図４】
2010154330.tif 000006
【図５】
2010154330.tif 000007